(57)【特許請求の範囲】
【請求項１】
他の通信装置のプロトコル終端装置と回線を介して信号を送受する自装置内プロトコル終端装置を有し、該自装置内プロトコル終端装置は冗長構成化されセレクタによりその一つが選択されて回線に接続され、又は、該自装置内プロトコル終端装置は冗長回線の一つにセレクタを介して接続される通信装置において、
前記他の通信装置のプロトコル終端装置の機能を擬似するプロトコル擬似シミュレータを自装置内に備え、
前記自装置内プロトコル終端装置又は回線の接続をセレクタにより現用系から予備系に切り替えた後に、該自装置内プロトコル終端装置と前記プロトコル擬似シミュレータとの間でリンク確立の接続処理を行い、該リンク確立完了後に、該自装置内プロトコル終端装置を、他の通信装置のプロトコル終端装置に接続された回線に組み込むことを特徴とする通信装置。
【請求項２】
前記プロトコル擬似シミュレータは、冗長系の切り替え時のリンク確立の接続処理に必要な接続データ及び状態情報を、他の通信装置との通信が確立したときに、現用系自装置内プロトコル終端装置と他の通信装置のプロトコル終端装置との送受信号の通知を受け又は該送受信号を傍受して保持する接続データ・状態情報保持部を備えたことを特徴とする請求項１に記載の通信装置。
【請求項３】
前記他の通信装置が無線管理装置である場合に、該無線管理装置のプロトコル終端装置の機能を擬似するプロトコル擬似シミュレータを自装置内に備え、前記他の通信装置が無線装置である場合に、該無線装置のプロトコル終端装置の機能を擬似するプロトコル擬似シミュレータを自装置内に備えたことを特徴とする請求項１又は２に記載の通信装置。
【請求項４】
前記プロトコル終端装置は、ＣＰＲＩ（Common Public Radio Interface）リンクプロトコルの送受信号を終端することを特徴とする請求項３に記載の通信装置。
【請求項５】
他の通信装置のプロトコル終端装置と回線を介して信号を送受する自装置内プロトコル終端装置を有し、該自装置内プロトコル終端装置は冗長構成化されセレクタによりその一つが選択されて回線に接続され、又は、該自装置内プロトコル終端装置は冗長回線の一つにセレクタを介して接続される通信装置の冗長系切り替え方法において、
前記他の通信装置のプロトコル終端装置の機能を擬似するプロトコル擬似シミュレータを自装置内に設け、前記自装置内プロトコル終端装置又は回線の接続をセレクタにより現用系から予備系に切り替えた後に、該自装置内プロトコル終端装置と前記プロトコル擬似シミュレータとの間でリンク確立の接続処理を行い、該リンク確立完了後に、該自装置内プロトコル終端装置を、他の通信装置のプロトコル終端装置に接続された回線に組み込むことを特徴とする冗長系切り替え方法。
【発明の詳細な説明】
【技術分野】
【０００１】
本発明は、通信装置及び冗長系切り替え方法に関し、回線交換システムや移動通信システムに用いられる各種の通信機器に適用可能な冗長系切り替えの技術に関わり、特に、ＣＰＲＩ（Common Public Radio Interface）を用いた無線管理装置及び無線装置に好適に適用される。
【０００２】
ここで、「ＣＰＲＩ」は、無線基地局内部のオープンインタフェースであり、無線基地局内の無線部と制御部とを分離し、それらの間をオープンなインタフェースで結ぶアーキテクチャのためのものであり、これにより、無線基地局内の各機能部について、サードパーティ製品の組み込みの採用、自社技術の部分的重点化・差別化等を含め、インフラベンダーが装置の設計・構築を柔軟に行うことができる。（ＣＰＲＩに関しては、http://www.cpri.info/jp/index.html参照）
【０００３】
図５に無線管理装置及び無線装置における冗長系切替えの構成例を示す。同図において、１００は無線管理装置（ＲＥＣ：Radio Equipment Control）であり、２００は無線装置（ＲＥ：Radio Equipment）である。
【０００４】
無線管理装置（ＲＥＣ）１００内において、１０１は３ＧＰＰ（3rd Generation Partnership Project）の標準規格に則った一般的な呼制御・呼処理を実施する呼制御／呼処理装置（カード）であり、１０２は装置内の各機能部・装置の保守・監視を実施する共通制御装置（カード）である。１０３及び１０４はＣＰＲＩプロトコルを終端する現用系及び予備待機系の終端装置であり、１０５は該終端装置１０３及び１０４の冗長系切り替えに使用されるセレクタである。
【０００５】
無線装置（ＲＥ）２００内において、２０２及び２０３はＣＰＲＩプロトコルを終端する現用系及び予備待機系の終端装置であり、２０１は該終端装置２０２及び２０３の冗長系切り替えに使用されるセレクタである。また、２０４及び２０５は、３ＧＰＰの標準規格に則った一般的な無線信号を送受信する無線送信機（カード）及び無線受信機（カード）である。
【０００６】
図５に示す装置において、外部からの制御信号（メッセージ）やユーザデータ（音声データ、パケットデータ等）の本信号は、同図の（Ａ）→（Ｂ）→（Ｃ）→（Ｄ）→（Ｅ）→（Ｆ）→（Ｇ）の順（又はその逆の順）にて流れる。本信号の欠損は、システム動作・ユーザへの影響が大きく、各信号ルート（（Ａ）−（Ｂ）間、（Ｃ）−（Ｄ）間、・・・）において、信号欠損を起こさせないための動作保障をすることが必要となる。
【０００７】
本発明は、無線管理装置１００内のプロトコル終端装置１０３からプロトコル終端装置１０４への切り替え、若しくはプロトコル終端装置１０４からプロトコル終端装置１０３への切り替え、又は無線装置２００内のプロトコル終端装置２０２からプロトコル終端装置２０３への切り替え、若しくはプロトコル終端装置２０３からプロトコル終端装置２０２への切り替え時の、信号ルート（Ｃ）−（Ｄ）−（Ｅ）間の信号欠損に対する改善に関わるものである。
【背景技術】
【０００８】
図５に示した装置間の信号ルート（Ｃ）−（Ｄ）−（Ｅ）におけるプロトコル終端装置１０３からプロトコル終端装置１０４（若しくはプロトコル終端装置１０４からプロトコル終端装置１０３）への切り替え、又はプロトコル終端装置２０２からプロトコル終端装置２０３（若しくはプロトコル終端装置２０３からプロトコル終端装置２０２）への切り替えは、セレクタ１０５又はセレクタ２０１による切り替えにて行うため、回線の切断（レイヤ１の切断）が発生する。
【０００９】
そのため、その上位レイヤの接続も切断される。そして、回線を他系に物理的に繋ぎ替えてレイヤ１の接続を確立した後、信号ルート（Ｃ）−（Ｄ）−（Ｅ）における再接続（レイヤ２，レイヤ３のリンク確立処理）が行われる。
【００１０】
図６に従来の信号ルート（Ｃ）−（Ｄ）−（Ｅ）の冗長系切り替え持の動作を示す。同図の（ａ）は、無線管理装置（ＲＥＣ）１００と無線装置（ＲＥ）２００との間で、プロトコル終端装置１０３とプロトコル終端装置２０２とが、セレクタ１０５及び２０１により接続され、レイヤ３のリンクを確立している運用中の状態を示している。
【００１１】
ここで、図６の（ｂ）に示すように、無線管理装置（ＲＥＣ）１００の現用系のプロトコル終端装置１０３を、予備系のプロトコル終端装置１０４に切り替える際に、一時的に、無線管理装置（ＲＥＣ）１００と無線装置（ＲＥ）２００との間のレイヤ１のリンクが切断状態となる。
【００１２】
そして、図６の（ｃ）に示すように、無線管理装置（ＲＥＣ）１００内で、セレクタ１０５とプロトコル終端装置１０４とを物理的に接続した後、無線管理装置（ＲＥＣ）１００のプロトコル終端装置１０４との無線装置（ＲＥ）２００のプロトコル終端装置２０２との間で、レイヤ１、レイヤ２及びレイヤ３のリンクを確立する接続処理が行われる。
【００１３】
上記レイヤ３までの接続処理が完了した後に、図６の（ｄ）に示すように、無線管理装置（ＲＥＣ）１００のプロトコル終端装置１０４と無線装置（ＲＥ）２００のプロトコル終端装置２０２との間で、レイヤ３のリンクを通して通信ができる状態となり、プロトコル終端装置１０４が現用系として動作し、運用中の動作となる。
【００１４】
なお、図５及び図６に示した冗長系切り替えは、プロトコル終端装置が２重化された冗長構成における切り替えの例であるが、無線管理装置（ＲＥＣ）１００と無線装置（ＲＥ）２００とプロトコル終端装置の間を接続する回線が２重化されている冗長構成の場合でも、系の切り替え時に同様のことが起こる。
【００１５】
また、無線管理装置（ＲＥＣ）１００と無線装置（ＲＥ）２００とのプロトコル終端装置が、それぞれＮ（Ｎ＞２）重化された構成、即ち、Ｎ対Ｎの冗長構成の場合でも同様のことが起こる。図７の（ａ）は回線冗長構成の構成例を示し、同図（ｂ）は無線管理装置（ＲＥＣ）１００と無線装置（ＲＥ）２００とがＮ対Ｎの冗長構成の場合の構成例を示している。
【００１６】
また、図８は無線管理装置（ＲＥＣ）１００と無線装置（ＲＥ）２００との間のリンク確立の処理フローを示している。同図に示すように、無線管理装置（ＲＥＣ）１００と無線装置（ＲＥ）２００とは、レイヤ１（L１）リンク確立及びレイヤ２（L２）リンク確立の後、レイヤ３（L３）のリンク確立をステートＡ〜ステートＦに亘って行う。
【００１７】
本発明に関連する先行技術文献として、下記の特許文献１には、Ｎ＋１重化された冗長構成の各回線終端部を有する回線制御装置の切り替え方式において、系の切り替え時に、切り替え元の回線終端部で現用系の各回線終端部間で行われる通常運転時の第１のリンク番号と異なる第２のリンク番号を切り替え元の引継データに付加し、かつ、この第２のリンク番号に転送制御情報を付加してシステムバスを介して転送し、切り替え先の回線終端部では、第２のリンク番号を受信すると、第２のリンク番号に続くデータを転送制御情報と判定し、この転送制御情報に続く引継データをメモリに格納することにより、系の切り替え時にデータバッファポインタやオフセット値をデータバッファ毎に書き換える必要がなく、速やかに系を切り替えることができる切り替え方式について記載されている。
【００１８】
また、下記の特許文献２には、障害が発生したときに通話経路を切り替える通話経路自動切り替え方法において、迂回用の経路を示す予備コネクションを予め確立しておき、通話実施中の経路を示す運用コネクションに障害が発生したときに、この運用コネクションを予め確立しておいた予備コネクションに切り替えるようにした通話経路自動切り替え方法について記載されている。
【特許文献１】特開平８−１４９１８０号公報
【特許文献２】特開２００１−２９８４６１号公報
【発明の開示】
【発明が解決しようとする課題】
【００１９】
従来の冗長系切り替えの構成では、切り替え時に回線の切断に伴って、各レイヤのリンクを確立する再接続処理を行う必要があり、切り替え動作中は、装置間の通信が不可能となり、その間の制御信号（メッセージ）やユーザデータ（音声データ、パケットデータなど）は、信号欠損となる欠点がある。
【００２０】
更に、ＣＰＲＩにおける接続方式では、装置間（図６の信号ルート（Ｃ）−（Ｄ）−（Ｅ））の接続速度が９６０ｋｂｐｓと低速であり、各レイヤのリンク確立の再接続処理に長時間掛かってしまい、かつセレクタ１０５とセレクタ２０１との間の信号ルート（Ｄ）は、１０ｋｍまでのケーブルが使用可能であり、装置間のリンク確立に不具合等が発生した場合、対向する装置まで保守者が赴き、保守を行わなければならないなど保守作業が困難なものとなっていた。
【００２１】
本発明は、冗長構成のプロトコル終端装置又は該プロトコル終端装置を相手装置に接続する冗長回線の切り替え時に、装置間の物理的接続の切断後の上位レイヤのリンク確立のための再接続処理を高速に行うことができる通信装置及び冗長系切り替え方法を提供することを目的とする。
【課題を解決するための手段】
【００２２】
本発明の通信装置は、（１）他の通信装置のプロトコル終端装置と回線を介して信号を送受する自装置内プロトコル終端装置を有し、該自装置内プロトコル終端装置は冗長構成化されセレクタによりその一つが選択されて回線に接続され、又は、該自装置内プロトコル終端装置は冗長回線の一つにセレクタを介して接続される通信装置において、前記他の通信装置のプロトコル終端装置の機能を擬似するプロトコル擬似シミュレータを自装置内に備え、前記自装置内プロトコル終端装置又は回線の接続をセレクタにより現用系から予備系に切り替えた後に、該自装置内プロトコル終端装置と前記プロトコル擬似シミュレータとの間でリンク確立の接続処理を行い、該リンク確立完了後に、該自装置内プロトコル終端装置を、他の通信装置のプロトコル終端装置に接続された回線に組み込むことを特徴とする。
【００２３】
また、（２）前記プロトコル擬似シミュレータは、冗長系の切り替え時のリンク確立の接続処理に必要な接続データ及び状態情報を、他の通信装置との通信が確立したときに、現用系自装置内プロトコル終端装置と他の通信装置のプロトコル終端装置との送受信号の通知を受け又は該送受信号を傍受して保持する接続データ・状態情報保持部を備えたことを特徴とする。
【００２４】
また、（３）前記他の通信装置が無線管理装置である場合に、該無線管理装置のプロトコル終端装置の機能を擬似するプロトコル擬似シミュレータを自装置内に備え、前記他の通信装置が無線装置である場合に、該無線装置のプロトコル終端装置の機能を擬似するプロトコル擬似シミュレータを自装置内に備えたことを特徴とする。
また、（４）前記プロトコル終端装置は、ＣＰＲＩ（Common Public Radio Interface）リンクプロトコルの送受信号を終端することを特徴とする。
【００２５】
また、本発明の冗長系切り替え方法は、（５）他の通信装置のプロトコル終端装置と回線を介して信号を送受する自装置内プロトコル終端装置を有し、該自装置内プロトコル終端装置は冗長構成化されセレクタによりその一つが選択されて回線に接続され、又は、該自装置内プロトコル終端装置は冗長回線の一つにセレクタを介して接続される通信装置の冗長系切り替え方法において、前記他の通信装置のプロトコル終端装置の機能を擬似するプロトコル擬似シミュレータを自装置内に設け、前記自装置内プロトコル終端装置又は回線の接続をセレクタにより現用系から予備系に切り替えた後に、該自装置内プロトコル終端装置と前記プロトコル擬似シミュレータとの間でリンク確立の接続処理を行い、該リンク確立完了後に、該自装置内プロトコル終端装置を、他の通信装置のプロトコル終端装置に接続された回線に組み込むことを特徴とする。
【発明の効果】
【００２６】
本発明によれば、冗長構成のプロトコル終端装置又は該プロトコル終端装置を相手装置に接続する冗長回線の切り替え時に、装置間（図５の信号ルート（Ｃ）−（Ｄ）−（Ｅ））の物理的接続の切断後の上位レイヤのリンク確立処理を、自装置内のプロトコル擬似シミュレータを用いて自装置内で行うことにより、遠隔の相手装置との間で低速の回線を介して行われていた各レイヤのリンク確立の再接続処理の通信時間及び処理待ち時間をなくすことができ、該リンク確立の再接続処理を高速に処理することができる。
【００２７】
また、無線管理装置（ＲＥＣ）内又は無線装置（ＲＥ）内にて再接続処理を完了させてしまうため、相手装置間の終端装置や回線等の冗長系の切り替え時に、相手装置で発生する不具合に対する保守作業を自装置内で行うことができ、保守作業を軽減することが可能となる。
【００２８】
また、冗長系の切り替え時のリンク確立の接続処理に必要な接続データ及び状態情報を、他の通信装置との通信が確立したときに受領して保持することにより、種類の異なる他の通信装置に対して必要な接続データ及び状態情報を個別に保持することができ、複数種類の他の通信装置に対して動的に対応することができる。
【発明を実施するための最良の形態】
【００２９】
図１は本発明による冗長系切り替えの構成を示す。同図において、図５に示した構成要素と同一のものには同一の符号を付して示している。本発明では、無線管理装置（ＲＥＣ）１００及び無線装置（ＲＥ）２００に、それぞれ、相手装置のプロトコル終端装置を擬似するプロトコル擬似シミュレータ１０６，２０６を設置しておく。
【００３０】
そして、プロトコル終端装置１０３又は１０４及び２０２又は２０３を経由する信号ルートの冗長系切り替えにおいて、各レイヤのリンク確立の接続処理に際して、無線管理装置（ＲＥＣ）１００と無線装置（ＲＥ）２００との間では非同期に、無線管理装置（ＲＥＣ）１００及び無線装置（ＲＥ）２００では、それぞれ自装置内で自装置のプロトコル終端装置とプロトコル擬似シミュレータとの間で、レイヤ毎のリンク確立の再接続処理を実施し、該接続処理完了後に、相手装置との実回線に繋ぎかえる。
【００３１】
こうすることにより、遠隔の相手装置との間で低速の回線を介して行われていた各レイヤのリンク確立の再接続処理の通信時間及び処理待ち時間を省くことができ、該リンク確立の再接続処理を自装置内で行うために高速に処理を行うことができ、特に相手装置との間が光伝送装置で接続されている場合は、切り替え時に物理的には瞬間的に切断されるものの、上位レイヤでは見かけ上の接続が切断することなく切り替えることができる。
【００３２】
図２に本発明による冗長系切り替えの動作を示す。同図の（ａ）は、無線管理装置（ＲＥＣ）１００と無線装置（ＲＥ）２００との間で、プロトコル終端装置１０３とプロトコル終端装置２０２とが、セレクタ１０５及び２０１により接続され、レイヤ３のリンクを確立している運用中の状態を示している。
【００３３】
ここで、図２の（ｂ）に示すように、無線管理装置（ＲＥＣ）１００の現用系のプロトコル終端装置１０３を、予備系のプロトコル終端装置１０４に切り替える際に、一時的に、無線管理装置（ＲＥＣ）１００と無線装置（ＲＥ）２００との間のレイヤ１のリンクが切断状態となる。
【００３４】
そして、図２の（ｃ）に示すように、無線管理装置（ＲＥＣ）１００内で、セレクタ１０５とプロトコル終端装置１０４とを物理的に接続した後、プロトコル終端装置１０４との無線装置（ＲＥ）プロトコル擬似シミュレータ１０６との間で、レイヤ１、レイヤ２及びレイヤ３のリンクを確立する接続処理を行う。
【００３５】
上記レイヤ３までの接続処理が完了した後に、図２の（ｄ）に示すように、無線管理装置（ＲＥＣ）１００のプロトコル終端装置１０４と無線装置（ＲＥ）２００のプロトコル終端装置２０２との間で、レイヤ３のリンクを通して通信ができる状態となり、プロトコル終端装置１０４が現用系として動作する運用状態となる。
【００３６】
図３は、無線管理装置（ＲＥＣ）１００と無線装置（ＲＥ）２００との間の回線が冗長構成化され、該冗長回線の切り替え時の動作を示す。同図に示すように、無線管理装置（ＲＥＣ）１００内のセレクタ及びプロトコル終端装置１０７と、無線装置（ＲＥ）２００内のセレクタ及びプロトコル終端装置２０７との接続が、現用回線３０１から予備回線３０２に切り替えられたとき、無線管理装置（ＲＥＣ）１００では、セレクタ及びプロトコル終端装置１０７と無線装置（ＲＥ）のプロトコル擬似シミュレータ１０６との間で各レイヤのリンク確立を行い、また、無線装置（ＲＥＣ）２００では、セレクタ及びプロトコル終端装置２０７と無線管理装置（ＲＥＣ）のプロトコル擬似シミュレータ２０６との間で各レイヤのリンク確立を行う。
【００３７】
プロトコル終端装置とプロトコル擬似シミュレータとの間のレイヤ毎のリンク確立の接続処理は、以下のように行う構成とすることができる。その第１の接続処理手法は、切り替え時の必要接続データ・状態情報を予め固定的にプロトコル擬似シミュレータに記憶させておくものである。
【００３８】
即ち、無線装置（ＲＥ）プロトコル擬似シミュレータ１０６に、無線管理装置（ＲＥＣ）１００とのレイヤ毎の接続処理に必要なデータ及び状態情報を予め保存しておく。また、無線管理装置（ＲＥＣ）プロトコル擬似シミュレータ２０６に、無線装置（ＲＥ）装置２００とのレイヤ毎の接続処理に必要なデータ及び状態情報を予め保存しておく。
【００３９】
そして、無線管理装置（ＲＥＣ）１００内のプロトコル終端装置１０３，１０４の現用系と予備系との切り替え時に、予備系のプロトコル終端装置１０４と無線装置（ＲＥ）プロトコル擬似シミュレータ１０６とが、信号ルート（Ｈ）−（Ｉ）を介して接続されるようにセレクタ１０５を設定する。その後、図２（ｃ）に示すように、予備系のプロトコル終端装置１０４と無線装置（ＲＥ）プロトコル擬似シミュレータ１０６とで、レイヤ毎のリンク確立の接続処理を行う。
【００４０】
プロトコル終端装置とプロトコル擬似シミュレータとの間のレイヤ毎のリンク確立の接続処の第２の接続処理の手法は、切り替え時の必要接続データ・状態情報を装置の初期立ち上げ時に記憶させるものである。
【００４１】
即ち、装置間接続の第１回目に装置間にて各レイヤ接続処理を行い、そのときの接続データ・状態情報をプロトコル擬似シミュレータに通知し、或いはプロトコル擬似シミュレータで接続データ・状態情報を傍受し、プロトコル擬似シミュレータは、各レイヤ接続処理に必要な接続データ・状態を保存する。
【００４２】
そして、無線管理装置（ＲＥＣ）１００内のプロトコル終端装置１０３，１０４の現用系と予備系との切り替え時に、予備系のプロトコル終端装置１０４と無線装置（ＲＥ）プロトコル擬似シミュレータ１０６とが、信号ルート（Ｈ）−（Ｉ）を介して接続されるようにセレクタ１０５を設定し、その後、図２（ｃ）に示すように、予備系のプロトコル終端装置１０４と無線装置（ＲＥ）プロトコル擬似シミュレータ１０６とで、レイヤ毎のリンク確立の接続処理を行う。
【００４３】
プロトコル終端装置とプロトコル擬似シミュレータとの間のレイヤ毎のリンク確立の接続処の第３の接続処理の手法は、前述の第２の接続処理において、プロトコル擬似シミュレータに接続データ・状態情報を保存する際に、省略可能な接続シーケンスは省略することにより、簡易的なロジックを通知し、接続処理自体を簡易化する。
【００４４】
図４に本発明のプロトコルシミュレータを用いたリンク確立処理のフローの例を示す。同図に示すように、無線管理装置（ＲＥＣ）１００内のプロトコル終端装置（予備系）は、レイヤ１（L１）リンク確立及びレイヤ２（L２）リンク確立の後、ステートＡ〜ステートＦに亘るレイヤ３（L３）のリンク確立を、自装置内の無線装置（ＲＥ）プロトコル擬似シミュレータ１０６との間で行い、該リンク確立の終了後、接続先を実回線に組み込む。
【００４５】
なお、図４の例において破線で示すレイヤ１（Ｌ１）及びレイヤ２（Ｌ２）のリンク確立のシーケンスを省略し、プロトコル終端装置（予備系）とプロトコル擬似シミュレータ１０６とのリンク確立シーケンスを、レイヤ３（Ｌ３）から実施する構成とすることができる。
【図面の簡単な説明】
【００４６】
【図１】本発明による冗長系切り替えのための構成例を示す図である。
【図２】本発明によるプロトコル終端装置の冗長系切り替えの動作を示す図である。
【図３】本発明による回線の冗長系切り替えの動作を示す図である。
【図４】本発明のプロトコル擬似シミュレータによるリンク確立処理フローを示す図である。
【図５】無線管理装置及び無線装置における冗長系切替えの構成例を示す図である。
【図６】従来の信号ルートの冗長系切り替え時の動作を示す図である。
【図７】回線冗長構成の構成例及び無線管理装置（ＲＥＣ）と無線装置（ＲＥ）とがＮ対Ｎの冗長構成の例を示す図である。
【図８】無線管理装置（ＲＥＣ）と無線装置（ＲＥ）間のリンク確立処理フローを示す図である。
【符号の説明】
【００４７】
１００  無線管理装置（ＲＥＣ）
１０１  呼制御／呼処理装置（カード）
１０２  共通制御装置（カード）
１０３  現用系のＣＰＲＩプロトコル終端装置
１０４  予備系のＣＰＲＩプロトコル終端装置
１０５  セレクタ
２００  無線装置（ＲＥ）
２０１  セレクタ
２０２  現用系のＣＰＲＩプロトコル終端装置
２０３  予備系のＣＰＲＩプロトコル終端装置
２０４  無線送信機（カード）
２０５  無線受信機（カード）
【図１】
0004612529.tif 000002
【図２】
0004612529.tif 000003
【図３】
0004612529.tif 000004
【図４】
0004612529.tif 000005
【図５】
0004612529.tif 000006
【図６】
0004612529.tif 000007
【図７】
0004612529.tif 000008
【図８】
0004612529.tif 000009